(57)【要約】流体の拍動流を輸送するための流体経路（１６）と、流体経路と連通している抑制要素（８０）であって、抑制要素は、拍動流の圧力変動を能動的に抑制して拍動流体流動を円滑化するように構成されており、任意の方向に動作可能である、抑制要素と、円滑化された流体流動の流速を測定するように抑制要素の下流で流体経路に沿って配置されている流体流量センサ（５０）とを含む、医用流体注入システム（１０）。一実施形態において、システムは、流体経路と連通している拍動注入ポンプ（１４）を含み、拍動注入ポンプは、拍動流体流動を引き起こす。
2013519849.tif 000002
【特許請求の範囲】
【請求項１】
流体の拍動流（１８）を輸送するための流体経路（１６）と、
前記流体経路と連通している抑制要素（８０、９０、１００ａ、１００ｂ、１２０、１３０、１４０、１５０、１６０、１７０、１８０、１９０）であって、前記抑制要素は、前記拍動流の圧力変動を能動的に抑制して前記拍動流体流動を円滑化するように構成されており、任意の配向で動作可能である、抑制要素と、
前記円滑化された流体流動の流速を測定するように前記抑制要素の下流で前記流体経路に沿って配置されている流体流量センサ（５０）と
を備えている、医用流体注入システム（１０、１１０）。
【請求項２】
前記流体経路と連通している拍動注入ポンプ（１４）を含み、前記拍動注入ポンプは、前記拍動流体流動を引き起こす、請求項１に記載の注入システム（１０、１１０）。
【請求項３】
前記流体流量センサおよび前記注入ポンプとともに動作可能な制御部（１１２）を含み、前記制御部は、前記流量センサから流速情報を受信し、前記流速情報に基づいて前記注入ポンプを調整するように構成されている、請求項２に記載の注入システム（１１０）。
【請求項４】
前記抑制要素（８０、１９０）は、圧縮空気源からの圧縮された空気（８９、２００）を保持する外部チャンバ（８２、１９２）と、ポンプ送出された流体を保持する内部チャンバ（８８、１９８）とを含む、請求項１に記載の注入システム（１０、１１０）。
【請求項５】
前記抑制要素（１９０）は、レオロジー流体（２００）を保持する外部チャンバ（１９２）と、前記ポンプ送出された流体を保持する内部チャンバ（１９８）とを含む、請求項１に記載の注入システム（１０、１１０）。
【請求項６】
前記抑制要素（１３０）は、前記ポンプ送出された流体上に抑制力を能動的に提供するために、管類（１３２）の一部の内壁上に形成されている複数のポケット（１３８）を含む、請求項１に記載の注入システム（１０、１１０）。
【請求項７】
前記抑制要素（１５０）は、前記ポンプ送出された流体上に抑制力を能動的に提供するために、前記ポンプ送出された流体によって拡張されるベローズ（１５８）を含む、請求項１に記載の注入システム（１０、１１０）。
【請求項８】
前記抑制要素（１４０）は、前記ポンプ送出された流体上に抑制力を能動的に提供するための管類（１６）のコイル状部分を含む、請求項１に記載の注入システム（１０、１１０）。
【請求項９】
前記抑制要素（９０、１６０、１７０）は、前記ポンプ送出された流体上に抑制力を能動的に提供するための可撓性壁（９８、１６８、１７２）を含む、請求項１に記載の注入システム（１０、１１０）。
【請求項１０】
前記抑制要素（１７０）は、前記ポンプ送出された流体上に抑制力を能動的に提供するための拡張可能管（１７２）を含む、請求項１に記載の注入システム（１０、１１０）。
【請求項１１】
前記抑制要素（１８０）は、前記ポンプ送出された流体上に抑制力を能動的に提供するための複数の束になった平行管（１８４）を含む、請求項１に記載の注入システム（１０、１１０）。
【請求項１２】
流体経路（１６）と、
前記流体経路を通して流体の非連続流（１８）を送出するための注入ポンプ（１４）と、
拡張可能膜を取り囲む筐体（８２、９２、１９２）であって、前記膜の内側は、前記流体経路と連通しているチャンバ（８８、１９８）を規定し、前記筐体内の前記チャンバの外側（８９、９９、２００）は、前記非連続流を円滑化するために、前記非連続流動流体の圧力変動を吸収する圧縮性ガスを含み、前記筐体および前記チャンバは、任意の配向で動作可能である、筐体と、
前記筐体の下流で前記流体経路に沿って配置されている流体流量センサ（５０）であって、前記円滑化された流体流動の流速を測定するように構成されている流体流量センサと
を備えている、注入システム（１０、１１０）。
【請求項１３】
前記チャンバ（８２、９２）の入口（８４、９４）および出口（８６、９６）は、前記流体が前記チャンバに進入した後に方向を変更しなければならないように、互に少なくとも実質的に平行に配置されている、請求項１２に記載の医用流体注入システム（１０、１１０）。
【請求項１４】
前記拡張可能膜は、拡張可能バルーン（８８）または拡張可能壁である、請求項１２に記載の医用流体注入システム（１０、１１０）。
【請求項１５】
注入ポンプ（１４）と、
前記注入ポンプによって生成される流体の拍動流（１８）を輸送するための流体経路（１６）と、
前記流体経路と連通している入口（８４、１０４、１２４、１３４）および出口（８６、１０６、１２６、１３６）を有する、流体保持区画（８２、１０２ａ、１０２ｂ、１２２、１３２）と、
前記流体保持区画の内側に位置する少なくとも１つの圧縮性空気バルーン（８８、１０８、１２８、１３８）であって、前記流体の拍動流の変動を抑制する傾向がある少なくとも１つの圧縮性空気バルーンと、
前記流体保持区画から下流で前記流体経路に沿って配置されている流量センサ（５０）と
を備えている、医用流体注入（１０、１１０）システム。
【請求項１６】
前記流体保持区画（１０２ａ、１２２、１３２）の入口（１０４、１２４、１３４）および出口（１０６、１２６、１３６）は、前記少なくとも１つの圧縮性空気バルーン（１０８、１２８、１３８）の周囲で前記流体の流動を押し進めるように構成されている、請求項１５に記載の医用流体注入システム（１０、１１０）。
【請求項１７】
前記流体保持区画（１２２）は、前記圧縮性空気バルーン（１２８）のうちの少なくとも２つを分離する分割壁（１２９）を収納している、請求項１５に記載の医用流体注入システム（１０、１１０）。
【請求項１８】
前記流体保持区画（８２、１０２ａ、１０２ｂ、１２２）の入口（８４、１０４、１２４）および出口（８６、１０６、１２６）は、前記流体が前記流体保持区画に進入した後に方向を変更しなければならないように、互に対して配置されている、請求項１５に記載の医用流体注入システム（１０、１１０）。
【請求項１９】
流体の少なくとも半拍動流（１８）を生成する注入ポンプ（１４）と、
前記注入ポンプから下流に配置されている流量センサ（５０）と、
前記注入ポンプから前記流量センサへ前記流体の少なくとも半拍動流を運搬するための管（１３２）と
を備え、
前記管（１３２）は、前記ポンプから前記流量センサへの前記流体の流動を円滑化するために、少なくとも１つの圧縮性空気バルーン（１３８）を取り囲んでいる、
医用流体注入システム（１０、１１０）。
【請求項２０】
前記少なくとも１つの空気バルーンの表面は、前記管の内壁面である、請求項１９に記載の医用流体注入システム（１０、１１０）。
【発明の詳細な説明】
【技術分野】
【０００１】
本開示は、概して、医用流体送達システムに関する。具体的には、本開示は、注入システムの中の略拍動流体流動を、より円滑な、またはあまり拍動性ではない流体流動に変換するためのデバイスおよび方法に関する。
【背景技術】
【０００２】
液状薬剤ならびに他の複合医用および治療流体はしばしば、注入療法を通して患者に投与される。典型的には、注入療法は、注入回路を通して患者の中へ流体を押し進めるために注入ポンプを採用することによって達成される。歩行可能である患者で長期間にわたって流体の注入がおこなわれる時等の、ある状況では、使い捨て注入システムを使用することが望ましい。
【０００３】
使い捨て注入システムは、概して、単回使用アイテムであるため、そのようなシステムは、典型的には、比較的単純で安価な構成要素を含む。しかしながら、比較的単純で安価な構成要素を使用することで遭遇する困難のうちの１つは、構成要素がしばしば、使用するために相互に互換性がないことである。例えば、単純で安価な注入ポンプの大多数が、拍動または非連続流体流動を生成する。耐久性のある高価なポンプでさえ、拍動性を生成する。この拍動流体流動は、動的であり、非常に迅速に変化する流速および圧力変動を有する。さらに、最も単純で安価な流体流量センサは、時間分解能、または拍動流体流動の流速を感知および計算する能力を持たない。これらの構成要素の非互換性は、注入回路内の流体流速を監視する能力を有する、経済的な使い捨て注入システムを生産することへの障害を生じる。
【０００４】
多くの注入療法用途では、流体は、治療的に有効となるように、ある流体流速で患者に投与されることが要求される。例えば、いくつかの用途では、流体が過度にゆっくりと注入された場合、意図された治療効果が低減されるか、または完全に存在しない場合がある。他の用途では、過度に高速での体内への流体の注入は、危険または過剰投与状況を生じ得る。したがって、いくつかの注入療法用途では、必要に応じて流速を監視し、調整することができるように、ユーザが、システムを通る流体の流速を迅速かつ正確に決定できることが重要である。
【０００５】
ユーザが流速を決定できることが重要である場合において、使い捨て注入セットはしばしば、円滑な流体流動を生成する注入ポンプ、または拍動または非連続流体流動の流速を監視および計算する能力を有する流量センサのいずれか一方を含む。円滑流生成注入ポンプ、または拍動流を監視することができる流量センサを使用することの不利点のうちの１つは、これらの構成要素の療法が、比較的高価であり、使い捨て注入セットの全体的費用をかなり増加させる。増加した費用に加えて、高分解能測定を達成することが可能なシステム構成要素はしばしば、複雑な回路、ハードウェア、およびソフトウェアアーキテクチャを必要とする。
【発明の概要】
【課題を解決するための手段】
【０００６】
本開示は、注入システム内の流体の略非連続または拍動流を、概して、より円滑な、またはあまり拍動性ではない流体流動に変換する抑制要素を含む注入システムを提供する。注入システムへの抑制要素の組み込みは、種々の利益を提供する。例えば、より円滑な流体流動への略拍動流体流動の変換は、流体の拍動流の流速を感知し、計算する時間分解能を持たない比較的安価な流体流量センサが、そのような流体流動を監視し、調整するために使用されることを可能にする。比較的安価な流体流量センサを採用する能力は、注入システムの全体的費用をかなり削減する。
【０００７】
一般に、抑制要素は、注入システムの流体経路に沿った場所に配置され、抑制要素の上流にある流体源から、拍動流体流動を有する流体を受け取る。例えば、一実施形態では、本開示の医用流体注入システムは、拍動注入ポンプ、例えば、膜ポンプまたは蠕動ポンプから送出される、流体、例えば、患者に注入するための薬剤の拍動流を輸送するための流体経路を含む。抑制要素が、流体経路と流体連通して配置されている。抑制要素は、拍動流体流動を円滑化するように、拍動流の圧力変動を能動的に抑制する。有利に、抑制要素は、任意の配向で操作することができ、重力依存性ではない。流体流量センサが、円滑化された流体流動の流速を測定するように抑制要素の下流で流体経路に沿って配置されている。システムは、抑制要素および流体流量センサの両方を収納している、共通エンクロージャを提供することができる。
【０００８】
抑制要素の多くの異なる構成が、以下で詳細に記載される。例えば、抑制要素は、大気圧である空気または圧縮空気源から加圧された空気を保持する外部筐体と、ポンプ送出された流体を保持する内部チャンバとを含むことができる。または、抑制要素は、レオロジー流体を保持する外部筐体と、ポンプ送出された流体を保持する内部チャンバとを含むことができる。代替として、抑制要素は、ポンプ送出された流体上に圧縮力を能動的に提供するよう、流出された流体によって拡張されるベローズを含む。さらに代替として、抑制要素は、ポンプ送出された流体上に圧縮力を能動的に提供する、可撓性壁を含むことができる。その上さらに代替として、抑制要素は、ポンプ送出された流体上に圧縮力を能動的に提供するように、拡張可能管を含むことができる。さらに別の代替実施形態では、抑制要素は、ポンプ送出された流体上に圧縮力を能動的に提供するように、複数の束になった平行管を含む。
【０００９】
具体的には、１つの注入システムは、（ｉ）流体経路と、（ｉｉ）流体経路を通して流体の非連続流を送出するための注入ポンプと、（ｉｉｉ）拡張可能膜を取り囲む筐体であって、膜の内側は、流体経路と連通しているチャンバを規定し、筐体内のチャンバの外側は、非連続流を円滑化するように非連続流動流体の圧力変動を吸収する圧縮性ガスを含み、筐体およびチャンバは、任意の配向で動作可能である筐体と、（ｉｖ）筐体の下流で流体経路に沿って配置されている流体流量センサであって、円滑化された流体流動の流速を測定するように構成されている流体流量センサとを含む。
【００１０】
別の実施形態では、医用流体注入システムは、（ｉ）注入ポンプと、（ｉｉ）注入ポンプによって生成される流体の拍動流を輸送するための流体経路と、（ｉｉｉ）流体経路と流体連通している入口および出口を有する、流体保持区画と、（ｉｖ）流体の拍動流の変動を抑制する傾向があるよう、流体保持区画の外面の少なくとも実質的に全体の周囲で圧縮性ガスを保持するチャンバと、（ｖ）流体保持区画およびチャンバから下流で流体経路に沿って配置されている流量センサとを含む。ここで、流体保持区画の入口および出口は、流体が流体保持区画に進入した後に方向を変更しなければならないように、互に少なくとも実質的に平行に配置することができる。また、流体保持区画は、拡張可能バルーンを含むこともできる。
【００１１】
さらなる実施形態では、医用流体注入システムは、（ｉ）注入ポンプと、（ｉｉ）注入ポンプによって生成される流体の拍動流を輸送するための流体経路と、（ｉｉｉ）流体経路と流体連通している入口および出口を有する流体保持区画と、（ｉｖ）流体の拍動流の変動を抑制する傾向がある、流体保持区画の内側に位置する少なくとも１つの圧縮性空気バルーンと、（ｖ）流体保持区画から下流で流体経路に沿って配置されている流量センサとを含む。ここで、流体保持区画の入口および出口は、（ａ）少なくとも１つの圧縮性空気バルーンの周囲で流体の流動を押し進めるように構成され、（ｂ）流体が流体保持区画に進入した後に方向を変更しなければならないように、互に対して配置されることができる。１つの実装では、流体保持区画は、圧縮性空気バルーンのうちの少なくとも２つを分離する分割壁を収納している。
【００１２】
さらに別の実施形態では、医用流体注入システムは、（ｉ）流体の少なくとも半拍動流を生成する、注入ポンプと、（ｉｉ）注入ポンプから下流に配置されている流量センサと、（ｉｉｉ）注入ポンプから流量センサへ流体の少なくとも半拍動流を運搬するための管であって、ポンプから流量センサへの流体の流動を円滑化するための少なくとも１つの圧縮性空気バルーンを取り囲む管とを含む。１つの実装では、少なくとも１つの空気バルーンの表面は、管の内壁面である。
【００１３】
したがって、抑制要素または抑制装置の配向が重要でない、注入ポンプシステム用の流動抑制を提供することが、本開示の利点である。
【００１４】
抑制要素が拍動流体流動を円滑化するように拍動流の圧力変動を能動的に抑制する、注入ポンプシステム用の流動抑制を提供することが、本開示の別の利点である。
【００１５】
付加的特徴および利点は、本明細書に説明されており、以下の発明を実施するための形態および図面から明らかとなるであろう。
【図面の簡単な説明】
【００１６】
【図１】図１は、本開示による、注入システムの中に種々の流動拍動性抑制装置を配置するための一実施形態の概略立面図である。
【図２】図２は、本開示による、フィードバックを有する注入システムの中に種々の流動拍動性抑制デバイスを配置するための一実施形態の概略立面図である。
【図３】図３は、本開示の流動拍動性抑制デバイスが、本開示のシステムの医用流体ポンプの出力に固有の拍動性により、どのように陽圧パルスを吸収し、陰圧パルス中に戻し流を生じるかというポンプサイクルあたりの流量の概略図である。
【図４】図４は、本開示の流動拍動性抑制要素の一実施形態を図示する、概略図である。
【図５】図５は、本開示の流動拍動性抑制要素の第２の実施形態を図示する、概略図である。
【図６】図６Ａおよび図６Ｂは、本開示の流動拍動性抑制要素の第３の実施形態を図示する、概略図である。
【図７】図７は、本開示の流動拍動性抑制要素の第４の実施形態を図示する、概略図である。
【図８】図８は、本開示の流動拍動性抑制要素の第５の実施形態を図示する、概略図である。
【図９】図９は、本開示の流動拍動性抑制要素の第６の実施形態を図示する、概略図である。
【図１０】図１０は、本開示の流動拍動性抑制要素の第７の実施形態を図示する、概略図である。
【図１１】図１１は、本開示の流動拍動性抑制要素の第８の実施形態を図示する、概略図である。
【図１２】図１２は、本開示の流動拍動性抑制要素の第９の実施形態を図示する、概略図である。
【図１３】図１３は、本開示の流動拍動性抑制要素の第１０の実施形態を図示する、概略図である。
【図１４】図１４は、本開示の流動拍動性抑制要素の第１１の実施形態を図示する、概略図である。
【発明を実施するための形態】
【００１７】
ここで、図面、具体的には図１を参照すると、患者に薬剤または他の治療流体等の流体を注入するための注入療法システムまたはセット１０が提供される。実施形態での注入療法システム１０は、比較的安価な構成要素部品を含む使い捨て注入システムである。示された実施形態では、注入療法システム１０は、流体供給１２と、注入ポンプ１４と、流体経路１６とを含む。一般に、注入ポンプ１４は、流体供給１２から注入経路１６を通って、流体を患者に送達する注入デバイス（図示せず）へと流体１８を送出する。注入デバイスは、流体を送達するように患者と界面接触するカテーテル、埋込型ポート、静脈内送達デバイス、シャント、または他の機構等の任意の数の注入デバイスであり得る。
【００１８】
注入ポンプ１４は、マイクロダイヤフラムまたは蠕動ポンプ等の、圧力変動を有する拍動流体流動を生成するポンプである。例えば、ポンプは、例えば、ｔｈｉｎＸＸＳ  Ｍｉｃｒｏｔｅｃｈｎｏｌｏｇｙ  ＡＧ，Ｚｗｅｉｂｒuｃｋｅｎ，Ｇｅｒｍａｎｙによって提供される、マイクロダイヤフラムポンプであり得る。ポンプ自体は、使い捨てであり得る。代替として、ポンプの流体運搬構成要素が、使い捨てである。これらの種類のポンプはしばしば、サイズが小さく、概して軽量で比較的安価である。ポンプ１４は、流体を受け取るための入口ポート２０と、流体を排出するための出口ポート２２とを含む。注入ポンプ１４の入口ポート２０は、流体供給導管２６の遠位端部分２４に接続され、流体供給導管２６の近位端部分２８は、流体供給１２に接続される。流体供給導管２６とポンプ１４との間の接続、本明細書で説明される構成要素の他の接続は、雄・雌ルアー型接続または一体接続等の、当業者に公知である任意の好適な種類の永久または可撤性接続であり得る。
【００１９】
流体供給１２は、患者に注入される流体１８を含む可撓性分注バッグ３０を含み得る。実施形態での分注バッグ３０は、ポリマー材料でできており、流体供給導管２６の近位端部分２８に接続される出口ポート３２を含む。分注バッグ３０は、流体供給導管２６を通して注入ポンプ１４に流体１８を供給する。
【００２０】
注入経路１６は、ポンプ１４からカニューレまたはカテーテル（図示せず）等の注入デバイスへの流体経路を提供する。注入経路１６は、近位端部分３６および遠位端部分３８を有する、第１の流体導管３４を含むことができる。第１の流体導管３４の近位端部分３６は、注入ポンプ１４の出口ポート２２に接続され、注入ポンプから流体の拍動流を受け取る。例えば、蠕動ポンプの案内溝のローラが、略拍動流を生成する。膜ポンプの中の膜またはダイヤフラムの前後運動もまた、非連続または拍動流を作成する。
【００２１】
拍動性抑制デバイスまたは要素（本明細書で説明される抑制装置８０、９０、１００ａ／１００ｂ、１２０、１３０、１４０、１５０、１６０、１７０、１８０、および１９０のうちのいずれかを指す）が、注入ポンプ１４の下流にある場所で注入経路１６に沿って配置されている。第１の流体導管３４の遠位端部分３８は、抑制要素に接続される。抑制要素は、拍動流体流動を受け取り、それをより円滑または連続的な流体流動に変換する。
【００２２】
ここで図２を参照すると、本明細書で論議される抑制装置８０、９０、１００ａ、１００ｂ、１２０、１３０、１４０、１５０、１６０、１７０、１８０、および１９０のうちのいずれかを使用する、注入システム１１０は、流量センサ５０および注入ポンプ１４と連通している制御ユニット１１２を含む。制御ユニット１１２は、注入システムを通る流体の流速を最適化する閉ループ制御注入システムを作成するために採用することができる。例えば、ユーザが、制御ユニット１１２に所望の流速を入力する。制御ユニット１１２は、注入ポンプ１４と通信して、所望の流速で流体を送出するようにポンプを設定する。制御ユニット１１２は、注入回路を通る実際の流速に関する情報を流量センサ５０から受信し、次いで、実際の流速を計算するように情報を処理する。制御ユニット１１２は、実際の流速を所望の流速と比較し、実際の流速が所望の流速に等しくなるまで、必要に応じて、注入ポンプ１４を調整する、比例／積分／微分（「ＰＩＤ」）型の制御を含むことができる。
【００２３】
ここで図３を参照すると、本明細書で記載される異なる抑制装置の実施形態は、流量センサ５０の前の注入経路１６の中で拡張可能または圧縮可能領域を作成する、拡張可能および／または可撓性材料を使用する。拡張可能または圧縮可能領域は、拍動流体流動によって引き起こされる圧力変動に応答し、それは、流量センサ５０への流体のより円滑で連続的な流動をもたらす、変動への即効応答を提供する。図３は、本明細書で論議される種々の抑制実施形態を介して生成される所望の抑制された流量（Ｑ）を表す、点線を示す。拍動圧力サイクルは、「抑制装置がない流量（Ｑ）」を表す実線による、正および負の傾斜を有するものとして示されている。圧力サイクルの増加する圧力傾斜は、抑制されなければ、医用流体流速を、所望の抑制された流量の点線「抑制装置がある流量（Ｑ）」を上回って増加させる。しかしながら、抑制すると、要素は代わりに、流体容量＋ｄｖを貯蔵するように膨張させられる。
【００２４】
流動の実線「抑制装置がない流量（Ｑ）」が抑制されない場合に、所望の抑制された流量の点線「抑制装置がある流量（Ｑ）」を下回るように、圧力スパイクの正の位置が減退し、圧力パルスの負の傾斜につながると、負の容量−ｄｖを生成する。しかしながら、抑制装置の提供は、拡張可能および／または可撓性材料が収縮することを可能にし、貯蔵容量＋ｄｖを返し、所望の流速「抑制装置がある流量（Ｑ）」まで円滑化するように負の容量−ｄｖを打ち消す。次いで、上記で論議された拍動パルスサイクルが、拍動流の周期的な性質につき繰り返される。
【００２５】
ここで図４を参照すると、本開示の１つの抑制装置が、抑制装置８０によって図示されている。抑制装置８０は、使い捨て、例えば、プラスチック筐体、または非使い捨て筐体、例えば、システム１０の永久構成要素であり得る、筐体８２を含む。筐体８２は、メータ５０の上流で注入ライン１６と流体的に連通する医用流体入口８４および医用流体出口８６を含むか、または規定する。図示した実施形態での入口８４および出口８６は、医用流体流動が可撓性抑制要素８８内で１８０°回転するよう押し進められるように、相互に平行および隣接する。入口８４および出口８６は、代替として、医用流体が、入口８４を通って抑制要素８８の片側に流入し、出口８６を通って抑制要素８８の反対側から流出するように、互に対して一列に並んでいる。出口８６は、代替として、入口８４と垂直であるか、または一列に並んでいる。
【００２６】
入口８４および出口８６は、任意の好適な医療グレード管類で作ることができる。入口８４および出口８６は、代替として、医療グレード熱硬化性エラストマー、シリコーンゴム、ブチルゴム等の拡張可能かつ圧縮可能である医療グレード材料でできている抑制要素８８と一体化して形成されている。抑制要素８８は、陽圧スパイクを受けると膨張して、図３に図示される各駆動圧力パルスを超える過剰な容量＋ｄｖを吸収する。チャンバ８８の柔軟材料は、出口８６を通る＋ｄｖを返して、図３に示される圧力波の負になる部分によって引き起こされる容量の不足−ｄｖを補うよう、拍動圧力スパイクの減圧時に収縮する。
【００２７】
ここで図５を参照すると、代替的な抑制装置９０が図示されている。抑制装置９０は、多くの反復で抑制装置８０と同様であり、外部使い捨てまたは永久筐体９２と、入口９４と、メータ５０の上流で注入ライン１６と流体的に連通する出口８６とを含む。筐体８２、入口８４、および出口８６について上記で論議される、あらゆる代替実施形態が、筐体９２、入口９４、および出口９６に適用可能である。例えば、抑制装置９０は、抑制装置８０のように、入口９４を通って流れる反対の方向に出口９６を配向する。代替実施形態では、出口９６は、抑制装置９０の入口９４を通る流体の流動と垂直に延在することができる。
【００２８】
抑制装置９０は、半径方向および球状に拡張および圧縮する、上記のバルーンまたは嚢状チャンバ８８を、弓状に入口９４および出口９６から屈曲し、かつそれらに向かって屈曲する、可撓性壁９８と置換する。可撓性壁９８は、抑制要素８８について上記で論議される材料のうちのいずれかで作ることができる。正の拍動圧力スパイク時に、可撓性壁９８は、余分な容量＋ｄｖを吸収するようにたわむ、または屈曲する。次いで、可撓性壁９８は、出口９６を通る正の＋ｄｖ容量を返すよう、拍動圧力スパイクの減圧時に平坦な状態に、たわんだ状態または屈曲した状態から戻る。出口９６を通して＋ｄｖ容量を返すことにより、圧力スパイクの負の部分によって引き起こされた容量の不足−ｄｖを補う（図３参照）。
【００２９】
ここで図６Ａおよび６Ｂを参照すると、本開示のさらに別の抑制装置の代替実施形態１００ａおよび１００ｂが図示されている。抑制装置１００ａおよび１００ｂは、好適な医療グレードプラスチック等の本明細書で論議される材料のうちのいずれかで作ることができる、筐体１０２ａおよび１０２ｂをそれぞれ含む。略垂直筐体１０２ａおよび略水平筐体１０２ｂ用の入口１０４および出口１０６は、上記で論議される、略平行の反対に流れる方式で形成され、メータ５０の上流で注入ライン１６と流体的に連通する。入口１０４および出口１０６は、代替として、互に対して垂直に、または一列に並んで配向することができる。
【００３０】
各筐体１０２ａおよび１０２ｂは、可撓性、例えば、プラスチック膜でできている抑制要素を形成する、高度に圧縮性の抑制ポーチまたはバルーン１０８を収納している。ポーチまたはバルーン１０８は、空気または圧縮性ゲルで充填することができる。医用流体は、入口１０４から出口１０６へ移動するにつれて、バルーン１０８の周囲で、かつそれに接触して流れる。実施形態では、バルーン１０８は、その抑制効果を最適化するように医用流体との最大表面積接触を有するよう、サイズ決定され、位置付けられる。バルーン１０８は、球形、長円形、楕円形、または他の好適な形状を有することができる。１つの好ましい実施形態では、バルーン１０８は、流量センサ５０の上流に位置付けられる。
【００３１】
正の拍動圧力スパイク時に、バルーンまたはポーチ１０８は、余分な容量＋ｄｖを吸収するように収縮する。次いで、バルーンまたはポーチ１０８は、出口１０６を通して＋ｄｖ容量を返すよう、拍動圧力スパイクの減圧時に、その自然な容量まで減圧する。＋ｄｖ容量を返すことにより、圧力スパイクの負の位置によって引き起こされた容量の不足−ｄｖを補う（図３参照）。
【００３２】
ここで図７を参照すると、抑制装置１２０は、本開示のさらに別の代替的な抑制装置を図示する。抑制装置１２０は、本明細書で論議される材料のうちのいずれかで作ることができる、筐体１２２を含む。筐体１２２は、本明細書で論議される代替的な方法のうちのいずれかで、医用流体入口１２４および出口１２６と連通する。入口１２４および出口１２６は、メータ５０の上流で注入ライン１６と流体的に連通する。
【００３３】
筐体１２２は、抑制要素を形成する、複数の圧縮性空気バッグまたはバルーン１２８を保持する。図示した実施形態では、バルーン１２８は、仕切り壁１２９の両側で分割される。代替として、仕切り壁１２９は提供されない。バルーンまたはポーチ１０８と同様に、バルーンまたはポーチ１２８は、空気または圧縮性ゲルで充填することができる。バルーン１２９は、集合的に、図６Ａおよび６Ｂの抑制装置１００ａおよび１００ｂのバルーンまたはポーチ１０８と一致した方式で、バルーンの外面に沿って、拍動医用流体流動を個別かつ集合的に抑制する。
【００３４】
ここで図８を参照すると、抑制装置１３０は、本開示の別の代替的な抑制の実施形態を図示する。抑制装置１３０の類似筐体は、入口端１３４および出口端１３６を有する、管類１３２の一部である。管類１３２は、メータ５０の上流で、注入経路１６と一体的に形成すること、注入経路１６の中へ溶接すること、または融合コネクタ等のコネクタを介して注入経路に接続することができる。
【００３５】
管類１３２は、医用流体がバルーンの周囲で拍動して流れるにつれて、圧縮または減圧することによって拍動圧力スパイクを抑制するよう、上記で説明されるように動作する抑制要素を形成する、抑制ポーチまたはバルーン１３８を保持する。ポーチまたはバルーン１３８は、管１３２から分離して形成するか、または管の一部として形成することができる。後者の場合、例えば、バルーン１３８は、管１３２の内壁上でブリスターパックまたは気泡シート型として形成することができる。
【００３６】
ここで図９を参照すると、抑制装置１４０は、本開示のさらに別の代替的な拍動抑制構造を図示する。抑制装置１４０は、抑制装置１３０のように、メータ５０の上流で注入ライン１６と一体的に形成する、その中に継ぎ合わせる（例えば、溶接する、熱融着する、または超音波融着する）、またはその中に接続することができる、抑制要素を形成する、注入ライン１６のコイル状部分を含む。コイル抑制装置１４０の管類は、シリコーン等の薄壁柔軟プラスチックであり得る。抑制装置１４０は、拍動流を抑制するのに、（ｉ）圧力パルスの正および負の現在の傾斜に応じた、抑制装置１４０のコイルの捻転および捻転解除、（ｉｉ）それぞれ、圧力パルスの正および負の現在の傾斜に応じて、コイル状管類が膨張および収縮するように、高度に柔軟であるコイル１４０の材料の一方または両方に依存することができる。
【００３７】
ここで図１０を参照すると、抑制装置１５０は、本開示のさらに代替的な拍動流抑制の実施形態を図示する。抑制装置１５０は、矢印の線によって示されるように、拍動圧力スパイクの正および負の現在の傾斜に応じて拡張および収縮する、バルーン筐体１５２を含む。筐体１５２は、注入ライン１６と流体的に連通する、入口１５４および出口１５６と流体的に連通する。入口１５４および出口１５６は、示されるように、１８０°の関係を有するが、代替として、直角または貫流関係を有する。
【００３８】
バルーン筐体は、本明細書で記載される材料のうちのいずれか等の薄い柔軟材料で作ることができる、複数のアコーディオン状プリーツまたは壁１５８を含む。壁またはプリーツ１５８は、圧力スパイクの正の傾斜を受けると外向きに拡張し、スパイクの負の傾斜を受けると後退する。結果は、圧力スパイク全体にわたる円滑化および抑制された医用流体流動である。
【００３９】
ここで図１１を参照すると、貫流抑制装置１６０が図示されている。貫流抑制装置は、注入ライン１６とともに形成され、その中に継ぎ合わされ、またはその中に接続される、入口１６４と一方の端で、出口１６６と第２端で連通する、可撓性チャンバ１６２を含む。チャンバ１６２の１つまたは複数の壁１６８は、本明細書で説明される柔軟な医学的に容認可能な材料のうちのいずれかでできている。壁１６８は、圧力スパイクの正の傾斜を受けると外向きに拡張または屈曲し、圧力スパイクの負の傾斜を受けると収縮して、スパイク全体にわたって円滑化された抑制流動を提供する。
【００４０】
図１２の貫流抑制装置１７０は、抑制装置１６０と同様である。しかし、ここでは、可撓性の拡張可能管類部分１７２は、入口管類１７４および出口管類１７６とほぼ同じ直径を有する。抑制装置１７０は、抑制装置１６０と一致した方式で機能する。
【００４１】
ここで図１３を参照すると、抑制装置１８０は、本開示のさらに代替的な拍動流抑制の実施形態を図示する。断面図で示される抑制装置１８０は、本明細書で論議される材料のうちのいずれか、または柔軟材料、例えば、１つの好ましい実施形態ではシリコーンである、複数の小直径管１８４（例えば、０．１２５インチ直径）を収納する硬質材料であり得る、より大きい管（例えば、１〜１．５インチ外径）１８２を含む。複数の管１８４は、圧力スパイクを吸収するように、増加した量の柔軟表面積を提供する。より小さい管１８４はまた、同様にスパイクを抑制する傾向がある、全体的な制限流動を提供してもよい。
【００４２】
ここで図１４を参照すると、抑制装置１９０は、その上さらに代替実施形態を図示する。抑制装置１９０は、本明細書で説明される代替的方式のうちのいずれかで入口１９４および出口１９６と連通する、チャンバ１９８を密閉して保持する筐体１９２を含む。入口１９４および出口１９６は順に、メータ５０の上流で注入経路１６と連通する。筐体１９２が、硬質材料であり得る一方で、チャンバ１９８は、本明細書で論議される可撓性の拡張可能材料のうちのいずれかでできている。筐体１９２は、可撓性チャンバ１９８の外側を包囲する磁性レオロジー流体２００を保持する。磁性レオロジー流体は、磁界を受けた時に、その見掛け粘度を変化させることによって動作する。この流体２００の粘度の変化は、正の＋ｄｖ容量を吸収するように始動させることができ、次いで、粘度は、圧力スパイクの負の容量−ｄｖ部分の間にそれを返すように増加させることができる。
【００４３】
代替実施形態では、磁性レオロジー材料２００は、抑制目的で可撓性チャンバ１９８を包囲する、圧力保持筐体１９２内の圧縮空気に置換される。圧縮空気は、シリンダ、内蔵空気に由来する、または注入ポンプ１４の送出を介することができる。圧縮空気は、代替として、それぞれ図４および５における上記の抑制装置８０および９０の空気チャンバ８９および／または９９に注入することができる。
【００４４】
以降で説明される概念／実施形態で示されるように、空気／ガスが本明細書で論議される抑制装置のうちのいずれかによって使用される場合（いずれにしても、医用流体が可撓性の空気保持膜の外側または内側を流れる）、ボイルの法則と呼ばれる圧縮ガスの法則を使用して、図２に示される貯蔵流体容量「ｄｖ」と圧力変化との間の関係を計算することができる。
（式１）  Ｐｏ＊Ｖｏ＝Ｐｆ＊Ｖｆ＝定数
式中、
Ｐｏ＝非圧縮空気／ガスの元の圧力
Ｐｆ＝圧縮空気／ガスの最終圧力
Ｖｏ＝非圧縮空気／ガスの元の容量
Ｖｆ＝圧縮空気／ガスの最終容量
定義によりＶｆ＝Ｖｏ−ｄｖであるため、式１にＶｆを代入すると以下を生じ、
Ｐｏ＊Ｖｏ＝Ｐｆ＊（Ｖｏ−ｄｖ）
Ｐｏ＊Ｖｏ＝Ｐｆ＊Ｖｏ−Ｐｆ＊ｄｖ
（式２）  Ｖｏ＝Ｐｆ＊ｄｖ／（Ｐｆ−Ｐｏ）または
（式３）  ｄｖ＝Ｖｏ＊（Ｐｆ−Ｐｏ）／Ｐｆ
式２および式３は、それぞれ、空気／ガスおよび貯蔵流体の容量を決定するために使用することができる。必要とされる空気／ガスの全容量「ｄｖ」は、以降で説明される概念／実施形態で示されるような小型または製造容易な抑制装置を作成するように、上記で示されるような好適な数の形状、形態、または挿入物に分割／分配することができる。
【００４５】
本明細書で説明される主題の側面は、単独で、または本明細書で説明される１つ以上の他の側面と組み合わせて有用であり得る。先述の内容を限定することなく、本開示の第１の側面では、医用流体注入システムは、流体の拍動流を輸送するための流体経路と、流体経路と連通している抑制要素であって、抑制要素は、拍動流の圧力変動を能動的に抑制して拍動流体流動を円滑化するように構成され、任意の配向で動作可能である、抑制要素と、円滑化された流体流動の流速を測定するように抑制要素の下流で流体経路に沿って配置されている流体流量センサとを含む。
【００４６】
第１の側面と組み合わせて使用され得る本開示の第２の側面によれば、注入は、流体経路と連通している拍動注入ポンプであって、拍動流体流動を引き起こす注入ポンプを含む。
【００４７】
第２の側面と組み合わせて使用され得る本開示の第３の側面によれば、注入は、流体流量センサおよび注入ポンプとともに動作可能な制御部であって、流量センサから流速情報を受信するように、および流速情報に基づいて注入ポンプを調整するように構成されている、制御部を含む。
【００４８】
先行側面のうちのいずれか１つ以上と組み合わせて使用され得る本開示の第４の側面によれば、抑制要素は、圧縮空気源からの圧縮された空気を保持する外部チャンバと、ポンプ送出された流体を保持する内部チャンバとを含む。
【００４９】
先行側面のうちのいずれか１つ以上と組み合わせて使用され得る本開示の第５の側面によれば、抑制要素は、レオロジー流体を保持する外部チャンバと、ポンプ送出された流体を保持する内部チャンバとを含む。
【００５０】
先行側面のうちのいずれか１つ以上と組み合わせて使用され得る本開示の第６の側面によれば、抑制要素は、ポンプ送出された流体上に抑制力を能動的に提供するように管類の一部の内壁上に形成されている、複数のポケットを含む。
【００５１】
先行側面のうちのいずれか１つ以上と組み合わせて使用され得る本開示の第７の側面によれば、抑制要素は、ポンプ送出された流体上に抑制力を能動的に提供するよう、流出された流体によって拡張されるベローズを含む。
【００５２】
先行側面のうちのいずれか１つ以上と組み合わせて使用され得る本開示の第８の側面によれば、抑制要素は、ポンプ送出された流体上に抑制力を能動的に提供するように管類のコイル状部分を含む。
【００５３】
先行側面のうちのいずれか１つ以上と組み合わせて使用され得る本開示の第９の側面によれば、抑制要素は、ポンプ送出された流体上に抑制力を能動的に提供するように可撓性壁を含む。
【００５４】
先行側面のうちのいずれか１つ以上と組み合わせて使用され得る本開示の第１０の側面によれば、抑制要素は、ポンプ送出された流体上に抑制力を能動的に提供するように拡張可能管を含む。
【００５５】
先行側面のうちのいずれか１つ以上と組み合わせて使用され得る本開示の第１１の側面によれば、抑制要素は、ポンプ送出された流体上に抑制力を能動的に提供するように複数の束になった平行管を含む。
【００５６】
先行側面のうちのいずれか１つ以上と組み合わせて使用され得る本開示の第１２の側面によれば、注入システムは、流体経路と、流体経路を通して流体の非連続流を送出するための注入ポンプと、拡張可能膜を取り囲む筐体であって、膜の内側は、流体経路と連通しているチャンバを規定し、筐体内のチャンバの外側は、非連続流を円滑化するように非連続流動流体の圧力変動を吸収する圧縮性ガスを含み、筐体およびチャンバは、任意の配向で動作可能である、筐体と、筐体の下流で流体経路に沿って配置されている流体流量センサであって、円滑化された流体流動の流速を測定するように構成されている、流体流量センサとを含む。
【００５７】
側面１２と組み合わせて先行側面のうちのいずれか１つ以上とともに使用され得る本開示の第１３の側面によれば、チャンバの入口および出口は、流体がチャンバに進入した後に方向を変更しなければならないように、互に少なくとも実質的に平行に配置されている。
【００５８】
側面１２と組み合わせて先行側面のうちのいずれか１つ以上とともに使用され得る本開示の第１４の側面によれば、拡張可能膜は、拡張可能バルーンまたは拡張可能壁である。
【００５９】
先行側面のうちのいずれか１つ以上と組み合わせて使用され得る本開示の第１５の側面によれば、注入システムは、注入ポンプと、注入ポンプによって生成される流体の拍動流を輸送するための流体経路と、流体経路と連通している入口および出口を有する流体保持区画と、流体の拍動流の変動を抑制する傾向がある、流体保持区画の内側に位置する少なくとも１つの圧縮性空気バルーンと、流体保持区画から下流で流体経路に沿って配置されている流量センサとを含む。
【００６０】
側面１５と組み合わせて先行側面のうちのいずれか１つ以上とともに使用され得る本開示の第１６の側面によれば、流体保持区画の入口および出口は、少なくとも１つの圧縮性空気バルーンの周囲で流体の流動を押し進めるように構成されている。
【００６１】
側面１５と組み合わせて先行側面のうちのいずれか１つ以上とともに使用され得る本開示の第１７の側面によれば、流体保持区画は、圧縮性空気バルーンのうちの少なくとも２つを分離する分割壁を収納している。
【００６２】
側面１５と組み合わせて先行側面のうちのいずれか１つ以上とともに使用され得る本開示の第１８の側面によれば、流体保持区画の入口および出口は、流体が流体保持区画に進入した後に方向を変更しなければならないように、互に対して配置されている。
【００６３】
先行側面のうちのいずれか１つ以上と組み合わせて使用され得る本開示の第１９の側面によれば、注入システムは、医用流体注入システムを含み、医用流体注入システムは、流体の少なくとも半拍動流を生成する注入ポンプと、注入ポンプから下流に配置されている流量センサと、注入ポンプから流量センサへ流体の少なくとも半拍動流を運搬するための管であって、ポンプから流量センサへの流体の流動を円滑化するための少なくとも１つの圧縮性空気バルーンを取り囲む管とを含む。
【００６４】
側面１９と組み合わせて先行側面のうちのいずれか１つ以上とともに使用され得る本開示の第２０の側面によれば、少なくとも１つの空気バルーンの表面は、管の内壁面である。
【００６５】
本開示の第２１の側面によれば、図１に関連して図示および説明される構造および機能性のうちのいずれかは、先行側面のうちのいずれか１つ以上と組み合わせて使用され得る。
【００６６】
本開示の第２２の側面によれば、図２に関連して図示および説明される構造および機能性のうちのいずれかは、先行側面のうちのいずれか１つ以上と組み合わせて使用され得る。
【００６７】
本開示の第２３の側面によれば、図３に関連して図示および説明される構造および機能性のうちのいずれかは、先行側面のうちのいずれか１つ以上と組み合わせて使用され得る。
【００６８】
本開示の第２４の側面によれば、図４に関連して図示および説明される構造および機能性のうちのいずれかは、先行側面のうちのいずれか１つ以上と組み合わせて使用され得る。
【００６９】
本開示の第２５の側面によれば、図５に関連して図示および説明される構造および機能性のうちのいずれかは、先行側面のうちのいずれか１つ以上と組み合わせて使用され得る。
【００７０】
本開示の第２６の側面によれば、図６Ａおよび６Ｂに関連して図示および説明される構造および機能性のうちのいずれかは、先行側面のうちのいずれか１つ以上と組み合わせて使用され得る。
【００７１】
本開示の第２７の側面によれば、図７に関連して図示および説明される構造および機能性のうちのいずれかは、先行側面のうちのいずれか１つ以上と組み合わせて使用され得る。
【００７２】
本開示の第２８の側面によれば、図８に関連して図示および説明される構造および機能性のうちのいずれかは、先行側面のうちのいずれか１つ以上と組み合わせて使用され得る。
【００７３】
本開示の第２９の側面によれば、図９に関連して図示および説明される構造および機能性のうちのいずれかは、先行側面のうちのいずれか１つ以上と組み合わせて使用され得る。
【００７４】
本開示の第３０の側面によれば、図１０に関連して図示および説明される構造および機能性のうちのいずれかは、先行側面のうちのいずれか１つ以上と組み合わせて使用され得る。
【００７５】
本開示の第３１の側面によれば、図１１に関連して図示および説明される構造および機能性のうちのいずれかは、先行側面のうちのいずれか１つ以上と組み合わせて使用され得る。
【００７６】
本開示の第３２の側面によれば、図１２に関連して図示および説明される構造および機能性のうちのいずれかは、先行側面のうちのいずれか１つ以上と組み合わせて使用され得る。
【００７７】
本開示の第３３の側面によれば、図１３に関連して図示および説明される構造および機能性のうちのいずれかは、先行側面のうちのいずれか１つ以上と組み合わせて使用され得る。
【００７８】
本開示の第３４の側面によれば、図１４に関連して図示および説明される構造および機能性のうちのいずれかは、先行側面のうちのいずれか１つ以上と組み合わせて使用され得る。
【００７９】
本明細書に説明される本好ましい実施形態への種々の変更および修正は、当業者には明白となるであろうことを理解されたい。そのような変更および修正は、本主題の精神および範囲から逸脱することなく、かつ意図された利点を軽減することなく、行うことが可能である。したがって、そのような変更および修正は、添付する特許請求の範囲に包含されることを意図する。
【図１】
2013519849.tif 000003
【図２】
2013519849.tif 000004
【図３】
2013519849.tif 000005
【図４】
2013519849.tif 000006
【図５】
2013519849.tif 000007
【図６Ａ】
2013519849.tif 000008
【図６Ｂ】
2013519849.tif 000009
【図７】
2013519849.tif 000010
【図８】
2013519849.tif 000011
【図９】
2013519849.tif 000012
【図１０】
2013519849.tif 000013
【図１１】
2013519849.tif 000014
【図１２】
2013519849.tif 000015
【図１３】
2013519849.tif 000016
【図１４】
2013519849.tif 000017
【手続補正書】
【提出日】平成24年10月15日(2012.10.15)
【手続補正１】
【補正対象書類名】特許請求の範囲
【補正対象項目名】全文
【補正方法】変更
【補正の内容】
【特許請求の範囲】
【請求項１】
流体の拍動流（１８）を輸送するための流体経路（１６）と、
流体入口（８４、９４）と、前記流体入口に隣接している流体出口（８６、９６）と、前記流体経路と連通している抑制要素（８８、９８）とを有する筺体（８２、９２）を含む抑制装置（８０、９０）であって、前記抑制要素は、可撓性であり、
前記抑制要素は、
（ｉ）流体流動と接触し、前記流体流動を前記筺体内で前記流体入口（８４）から前記流体出口（８６）まで１８０°回転させることを助け、
（ｉｉ）前記抑制要素が、接触した際にたわみ、前記抑制装置の任意の配向に対して拍動流体流動を能動的に抑制する
ように、前記筺体内に位置している、抑制装置（８０、９０）と、
円滑化された流体流動の流速を測定するように前記抑制要素の下流で前記流体経路に沿って配置されている流体流量センサ（５０）と
を備えている、医用流体注入システム（１０、１１０）。
【請求項２】
前記流体経路と連通している拍動注入ポンプ（１４）を含み、前記注入ポンプは、前記拍動流体流動を引き起こす、請求項１に記載の注入システム（１０、１１０）。
【請求項３】
前記流体流量センサおよび前記注入ポンプとともに動作可能な制御部（１１２）を含み、前記制御部は、前記流量センサから流速情報を受信し、前記流速情報に基づいて前記注入ポンプを調整するように構成されている、請求項２に記載の注入システム（１０、１１０）。
【請求項４】
前記筺体（８２、９２）は、圧縮空気源からの圧縮された空気を保持する外部チャンバ（８９、９９）を含み、前記外部チャンバは、前記抑制要素によって前記流体入口および前記流体出口から流体的に分離されている、請求項１に記載の注入システム（１０、１１０）。
【請求項５】
前記抑制要素は、レオロジー流体（２００）を保持する外部チャンバ（１９２）と接する、請求項１に記載の注入システム（１０、１１０）。
【請求項６】
前記抑制要素は、ポンプ送出された流体上に抑制力を能動的に提供するために、前記ポンプ送出された流体によって拡張されるベローズ（１５８）を含む、請求項１に記載の注入システム（１０、１１０）。
【請求項７】
前記抑制要素（９８）は、ポンプ送出された流体上に抑制力を能動的に提供するための可撓性壁を含む、請求項１に記載の注入システム（１０、１１０）。
【請求項８】
前記抑制要素（８８）は、前記筺体内にバルーンを形成する、請求項１に記載の注入システム（１０、１１０）。
【請求項９】
流体経路（１６）と、
前記流体経路を通して流体の非連続流（１８）をポンプ送出するための注入ポンプ（１４）と、
拡張可能膜抑制要素（８８、９８）を取り囲む筐体（８２、９２）であって、前記膜抑制要素の内側は、前記流体経路と連通しているチャンバを規定し、前記筐体内の前記チャンバの外側は、前記非連続流を円滑化するために、非連続流動流体の圧力変動を吸収する圧縮性ガスを含み、前記筐体および前記チャンバは、前記膜抑制要素とともに任意の配向で動作可能であり、前記膜抑制要素は、前記筺体の入口（８４、９４）からの流動を前記筺体の隣接する出口（８６、９６）まで１８０°反転させるように前記筺体内に位置している、筐体と、
前記筐体の下流で前記流体経路に沿って配置されている流体流量センサ（５０）であって、円滑化された流体流動の流速を測定するように構成されている流体流量センサと
を備えている、注入システム（１０、１１０）。
【請求項１０】
前記チャンバ（８２、９２）の入口（８４、９４）および出口（８６、９６）は、互に少なくとも実質的に平行に配置されている、請求項９に記載の医用流体注入システム（１０、１１０）。
【請求項１１】
前記拡張可能膜抑制要素は、前記筺体の入口（８４、９４）からの流動を前記筺体の出口（８６、９６）まで１８０°反転させるように前記筺体内に位置している拡張可能バルーン（８８）または拡張可能壁である、請求項９に記載の医用流体注入システム（１０、１１０）。
【請求項１２】
注入ポンプ（１４）と、
前記注入ポンプによって生成される流体の拍動流（１８）を輸送するための流体経路（１６）と、
前記流体経路と流体連通している入口（１２４）および出口（１２６）を有する流体保持区画（１２２）と、
前記流体保持区画の内側に位置する少なくとも１つの圧縮性空気バルーンまたはゲル保持バルーン（１２８）であって、前記流体の拍動流の変動を抑制する傾向がある少なくとも１つの圧縮性空気バルーンまたはゲル保持バルーンと、
前記流体保持区画から下流で前記流体経路に沿って配置されている流量センサ（５０）と
を備えている、医用流体注入システム（１０、１１０）。
【請求項１３】
前記流体保持区画（１２２）の入口（１２４）および出口（１２６）は、前記少なくとも１つの圧縮性空気バルーンまたはゲル保持バルーン（１２８）の周囲で前記流体の流動を押し進めるように構成されている、請求項１２に記載の医用流体注入システム（１０、１１０）。
【請求項１４】
前記流体保持区画（１２２）は、前記圧縮性空気バルーンまたはゲル保持バルーン（１２８）のうちの少なくとも２つを分離する分割壁（１２９）を収納している、請求項１２に記載の医用流体注入システム（１０、１１０）。
【請求項１５】
前記流体保持区画（１２２）の入口（１２４）および出口（１２６）は、前記流体が前記流体保持区画に進入した後に方向を変更しなければならないように、互に対して配置されている、請求項１２に記載の医用流体注入システム（１０、１１０）。
【手続補正２】
【補正対象書類名】明細書
【補正対象項目名】００１５
【補正方法】変更
【補正の内容】
【００１５】
付加的特徴および利点は、本明細書に説明されており、以下の発明を実施するための形態および図面から明らかとなるであろう。
本発明は、例えば、以下を提供する。
（項目１）
流体の拍動流（１８）を輸送するための流体経路（１６）と、
上記流体経路と連通している抑制要素（８０、９０、１００ａ、１００ｂ、１２０、１３０、１４０、１５０、１６０、１７０、１８０、１９０）であって、上記抑制要素は、上記拍動流の圧力変動を能動的に抑制して上記拍動流体流動を円滑化するように構成されており、任意の配向で動作可能である、抑制要素と、
上記円滑化された流体流動の流速を測定するように上記抑制要素の下流で上記流体経路に沿って配置されている流体流量センサ（５０）と
を備えている、医用流体注入システム（１０、１１０）。
（項目２）
上記流体経路と連通している拍動注入ポンプ（１４）を含み、上記拍動注入ポンプは、上記拍動流体流動を引き起こす、項目１に記載の注入システム（１０、１１０）。
（項目３）
上記流体流量センサおよび上記注入ポンプとともに動作可能な制御部（１１２）を含み、上記制御部は、上記流量センサから流速情報を受信し、上記流速情報に基づいて上記注入ポンプを調整するように構成されている、項目２に記載の注入システム（１１０）。
（項目４）
上記抑制要素（８０、１９０）は、圧縮空気源からの圧縮された空気（８９、２００）を保持する外部チャンバ（８２、１９２）と、ポンプ送出された流体を保持する内部チャンバ（８８、１９８）とを含む、項目１に記載の注入システム（１０、１１０）。
（項目５）
上記抑制要素（１９０）は、レオロジー流体（２００）を保持する外部チャンバ（１９２）と、上記ポンプ送出された流体を保持する内部チャンバ（１９８）とを含む、項目１に記載の注入システム（１０、１１０）。
（項目６）
上記抑制要素（１３０）は、上記ポンプ送出された流体上に抑制力を能動的に提供するために、管類（１３２）の一部の内壁上に形成されている複数のポケット（１３８）を含む、項目１に記載の注入システム（１０、１１０）。
（項目７）
上記抑制要素（１５０）は、上記ポンプ送出された流体上に抑制力を能動的に提供するために、上記ポンプ送出された流体によって拡張されるベローズ（１５８）を含む、項目１に記載の注入システム（１０、１１０）。
（項目８）
上記抑制要素（１４０）は、上記ポンプ送出された流体上に抑制力を能動的に提供するための管類（１６）のコイル状部分を含む、項目１に記載の注入システム（１０、１１０）。
（項目９）
上記抑制要素（９０、１６０、１７０）は、上記ポンプ送出された流体上に抑制力を能動的に提供するための可撓性壁（９８、１６８、１７２）を含む、項目１に記載の注入システム（１０、１１０）。
（項目１０）
上記抑制要素（１７０）は、上記ポンプ送出された流体上に抑制力を能動的に提供するための拡張可能管（１７２）を含む、項目１に記載の注入システム（１０、１１０）。
（項目１１）
上記抑制要素（１８０）は、上記ポンプ送出された流体上に抑制力を能動的に提供するための複数の束になった平行管（１８４）を含む、項目１に記載の注入システム（１０、１１０）。
（項目１２）
流体経路（１６）と、
上記流体経路を通して流体の非連続流（１８）を送出するための注入ポンプ（１４）と、
拡張可能膜を取り囲む筐体（８２、９２、１９２）であって、上記膜の内側は、上記流体経路と連通しているチャンバ（８８、１９８）を規定し、上記筐体内の上記チャンバの外側（８９、９９、２００）は、上記非連続流を円滑化するために、上記非連続流動流体の圧力変動を吸収する圧縮性ガスを含み、上記筐体および上記チャンバは、任意の配向で動作可能である、筐体と、
上記筐体の下流で上記流体経路に沿って配置されている流体流量センサ（５０）であって、上記円滑化された流体流動の流速を測定するように構成されている流体流量センサと
を備えている、注入システム（１０、１１０）。
（項目１３）
上記チャンバ（８２、９２）の入口（８４、９４）および出口（８６、９６）は、上記流体が上記チャンバに進入した後に方向を変更しなければならないように、互に少なくとも実質的に平行に配置されている、項目１２に記載の医用流体注入システム（１０、１１０）。
（項目１４）
上記拡張可能膜は、拡張可能バルーン（８８）または拡張可能壁である、項目１２に記載の医用流体注入システム（１０、１１０）。
（項目１５）
注入ポンプ（１４）と、
上記注入ポンプによって生成される流体の拍動流（１８）を輸送するための流体経路（１６）と、
上記流体経路と連通している入口（８４、１０４、１２４、１３４）および出口（８６、１０６、１２６、１３６）を有する、流体保持区画（８２、１０２ａ、１０２ｂ、１２２、１３２）と、
上記流体保持区画の内側に位置する少なくとも１つの圧縮性空気バルーン（８８、１０８、１２８、１３８）であって、上記流体の拍動流の変動を抑制する傾向がある少なくとも１つの圧縮性空気バルーンと、
上記流体保持区画から下流で上記流体経路に沿って配置されている流量センサ（５０）と
を備えている、医用流体注入（１０、１１０）システム。
（項目１６）
上記流体保持区画（１０２ａ、１２２、１３２）の入口（１０４、１２４、１３４）および出口（１０６、１２６、１３６）は、上記少なくとも１つの圧縮性空気バルーン（１０８、１２８、１３８）の周囲で上記流体の流動を押し進めるように構成されている、項目１５に記載の医用流体注入システム（１０、１１０）。
（項目１７）
上記流体保持区画（１２２）は、上記圧縮性空気バルーン（１２８）のうちの少なくとも２つを分離する分割壁（１２９）を収納している、項目１５に記載の医用流体注入システム（１０、１１０）。
（項目１８）
上記流体保持区画（８２、１０２ａ、１０２ｂ、１２２）の入口（８４、１０４、１２４）および出口（８６、１０６、１２６）は、上記流体が上記流体保持区画に進入した後に方向を変更しなければならないように、互に対して配置されている、項目１５に記載の医用流体注入システム（１０、１１０）。
（項目１９）
流体の少なくとも半拍動流（１８）を生成する注入ポンプ（１４）と、
上記注入ポンプから下流に配置されている流量センサ（５０）と、
上記注入ポンプから上記流量センサへ上記流体の少なくとも半拍動流を運搬するための管（１３２）と
を備え、
上記管（１３２）は、上記ポンプから上記流量センサへの上記流体の流動を円滑化するために、少なくとも１つの圧縮性空気バルーン（１３８）を取り囲んでいる、
医用流体注入システム（１０、１１０）。
（項目２０）
上記少なくとも１つの空気バルーンの表面は、上記管の内壁面である、項目１９に記載の医用流体注入システム（１０、１１０）。
【国際調査報告】
2013519849.tif 000018
2013519849.tif 000019
2013519849.tif 000020